(57)【特許請求の範囲】
【請求項１】
複数の被切断物の色又は図柄を取得するよう構成された取得部と、
異なる色又は図柄の複数のパーツを有する模様を記憶する記憶部と、
前記記憶部に記憶された模様の複数のパーツの色又は図柄を、前記取得部が取得した前記複数の被切断物の色又は図柄にそれぞれ変換する変換手段と、
前記変換手段によって色又は図柄が変換された複数のパーツを有する模様を表示するよう構成された表示部と、
を備える切断装置。
【請求項２】
複数のパーツの中から１つのパーツの選択を受け付ける第１受付部を備え、
前記変換手段は、
前記第１受付部によって受け付けられたパーツの色又は図柄を前記取得部が取得した色、又は図柄に変換することを特徴とする請求項１に記載の切断装置。
【請求項３】
前記取得部が取得した前記複数の被切断物の色又は図柄の中から、１つの色又は図柄の選択を受け付ける第２受付部を備え、
前記変換手段は、
前記第１受付部によって受け付けられたパーツの色又は図柄を、前記第２受付部によって受付られた色又は図柄に変換することを特徴とする請求項２に記載の切断装置。
【請求項４】
前記表示部は、
前記取得部が取得した前記複数の被切断物の色又は図柄を、並べて表示することを特徴とする請求項３に記載の切断装置。
【請求項５】
前記取得部は、各被切断物の色を取得するよう構成され、
前記記憶部は、異なる色の複数のパーツを有する模様を記憶し、
前記記憶部に記憶された模様の複数のパーツの色の中から、前記取得部が取得した各被切断物の色と最も近い色のパーツを抽出する抽出手段を備え、
前記変換手段は、
前記抽出手段によって抽出されたパーツの色を、前記取得部が取得した各被切断物の色に変換することを特徴とする請求項１に記載の切断装置。
【請求項６】
前記取得部は、各被切断物の図柄を取得するよう構成され、
前記取得部が取得した各被切断物の図柄上において、前記第１受付部によって受け付けられたパーツの配置についての指定を受け付ける第３受付部を備え、
前記変換手段は、
前記第１受付部によって受け付けられたパーツの図柄を、前記第３受付部によって受け付けられた指定に従って配置されたパーツの図柄に変換することを特徴とする請求項２に記載の切断装置。
【請求項７】
前記取得部は、前記被切断物の色又は図柄を光学的に読み取るスキャナであることを特徴とする請求項１〜６の何れかに記載の切断装置。
【請求項８】
切断刃と、
前記切断刃が前記被切断物から前記模様の各パーツを切断するように、前記切断刃と前記被切断物とを相対的に移動可能に構成された移動部と、
を備えることを特徴とする請求項１〜７の何れかに記載の切断装置。
【請求項９】
複数の被切断物の色又は図柄を取得部に取得させる取得制御手段と、
記憶部に記憶された模様の複数のパーツの色又は図柄を、前記取得制御手段が前記取得部に取得させた前記複数の被切断物の色又は図柄に変換する変換手段と、
前記変換手段によって変換された色又は図柄の複数のパーツを有する模様を表示部に表示させる表示制御手段と、
を備える表示制御装置。
【請求項１０】
複数の被切断物の色又は図柄を取得部に取得させる取得制御ステップと、
記憶部に記憶された模様の複数のパーツの色又は図柄を、前記取得制御ステップが前記取得部に取得させた前記複数の被切断物の色又は図柄に変換する変換ステップと、
前記変換ステップによって変換された色又は図柄の複数のパーツを有する模様を表示部に表示させる表示制御ステップと、
をコンピュータに実行させることを特徴とする表示制御プログラム。
【発明の詳細な説明】
【技術分野】
【０００１】
本開示は、切断装置、表示制御装置、及び表示制御プログラムに関する。
【背景技術】
【０００２】
特許文献１に、テーブルに配置された１つの被切断物を撮影し、その被切断物の図柄を複数のパーツにそれぞれ柄合わせすることができる自動裁断装置が開示されている。具体的には、ビデオカメラが、裁断テーブルに配置された１つの布地を撮影する。モニタは、撮影された布地の映像と各パーツとを表示する。そして、ユーザは、モニタの画面上において、布地の図柄に合わせて、各パーツを回転、又は移動させる。これにより、ユーザは、テーブルに配置された布地に対して各パーツを最適に配置することができる。
【先行技術文献】
【特許文献】
【０００３】
【特許文献１】特開平１―２５０４６５号公報
【発明の概要】
【発明が解決しようとする課題】
【０００４】
しかしながら、特許文献１の自動裁断装置は、ビデオカメラによって撮影された１つの布地の図柄に複数のパーツを合わせることはできるが、複数の布地の異なる色又は図柄に、複数のパーツの異なる色又は図柄をそれぞれ変換して合わせることができない。従って、複数のパーツの色又は図柄が、複数の布地の異なる色又は図柄に変換された１つの模様を表示することができない。このため、ユーザは、切断する前に、複数のパーツの色又は図柄の組合せを正確に知ることができなかった。
【０００５】
本開示は、上記の問題点に鑑みてなされたものであり、被切断物を切断する前に、複数の被切断物の色又は図柄に変換された複数のパーツを表示することが出来る切断装置、表示制御装置、及び表示制御プログラムを提供することを目的とする。
【課題を解決するための手段】
【０００６】
本開示の切断装置は、複数の被切断物の色又は図柄を取得するよう構成された取得部と、異なる色又は図柄の複数のパーツを有する模様を記憶する記憶部と、前記記憶部に記憶された模様の複数のパーツの色又は図柄を前記取得部が取得した前記複数の被切断物の色又は図柄にそれぞれ変換する変換手段と、前記変換手段によって色又は図柄が変換された複数のパーツを有する模様を表示するよう構成された表示部と、を備えることを特徴とする。
【発明の効果】
【０００７】
本開示の切断装置は、複数の被切断物の色又は図柄に変換された複数のパーツを表示する。従って、ユーザは、切断する前に、複数の被切断物の色又は図柄に変換された複数のパーツの組合せを確認することができる。
【図面の簡単な説明】
【０００８】
【図１】切断装置１の内部構造を筐体２と共に示す斜視図。
【図２】切断装置１の内部構造を示す平面図。
【図３】切断ヘッド５近傍を示す正面図。
【図４】カートリッジ４を示す正面図。
【図５】切断装置１の電気的構成を概略的に示すブロック図。
【図６】切断制御処理５００を示すフローチャート。
【図７】模様選択画面１１０。
【図８】パーツ画面１３０。
【図９】表示制御プログラムＳ１５Ａを示すフローチャート。
【図１０】色変換されたパーツ画面１３１。
【図１１】切断処理Ｓ１７Ａを示すフローチャート。
【図１２】表示制御プログラムＳ１５Ｂを示すフローチャート。
【図１３】パレット１８１、１８２、１８３を含むパーツ画面１３２。
【図１４】表示制御プログラム１５Ｃを示すフローチャート。
【図１５】パーツ抽出処理Ｓ７７を示すフローチャート。
【図１６】表示制御プログラムＳ１５Ｄを示すフローチャート。
【図１７】パーツ画面２００。
【図１８】パーツ位置決め画面３００。
【図１９】柄変換されたパーツ画面２０１。
【図２０】切断処理Ｓ１７Ｂを示すフローチャート。
【発明を実施するための形態】
【０００９】
［切断装置１の構成］
図１を参照し、切断装置１の構成について説明する。切断装置１は、被切断物１０１を切断する装置である。切断装置１は、筐体２と、プラテン３と、機枠１１と、切断ヘッド５と、移送機構７と、移動機構８と、ディスプレイ９ａと、スイッチ９ｂと、を備える。
【００１０】
移送機構７は、プラテン３上にセットされた保持シート１０を所定の移送方向に移送する。移動機構８は、切断ヘッド５を、保持シート１０の移送方向と交差する方向に移動させる。保持シート１０の移送方向と交差する方向は、例えば保持シート１０の移送方向と直交する方向である。移送機構７の移送方向を、前後方向（Ｙ方向）とする。移動機構８の移動方向を、左右方向（Ｘ方向）とする。前後方向と左右方向とに直交する方向を、上下方向（Ｚ方向）とする。移送機構７及び移動機構８は、被切断物１０１を保持した保持シート１０と切断ヘッド５とを、Ｘ方向及びＹ方向に相対移動させる移動部２０として構成される。即ち、移動部２０は、切断刃６が被切断物１０１から模様の各パーツを切断するように、切断刃６と被切断物１０１とを相対的に移動可能に構成される。
【００１１】
筐体２は、左右方向に長い矩形箱状である。筐体２の正面部には、開口部２ａが形成される。筐体２の正面部には、開口部２ａを開閉する前カバー２ｂが設けられる。開口部２ａが開放された状態で、ユーザは、被切断物１０１を保持した保持シート１０をプラテン３上にセットする。さらに、ユーザは、カートリッジ４を後述する切断ヘッド５のカートリッジホルダ３２に対して着脱する。
【００１２】
機枠１１は、筐体２に取り付けられる。機枠１１は、側壁１１ａ、１１ｂを備える。側壁１１ａ、１１ｂは、プラテン３の左右両側に夫々位置する。
【００１３】
ディスプレイ９ａは、筐体２の上面の右側部位に設けられる。ディスプレイ９ａは、フルカラー表示が可能な液晶カラーディスプレイである。ディスプレイ９ａの周囲には、ユーザが操作するスイッチ９ｂが設けられる。ディスプレイ９ａの表面には、タッチパネル９ｃが設けられる。ディスプレイ９ａは、種々の模様、ユーザに対して必要なメッセージ等、模様の切断に関する情報を表示する。ユーザは、スイッチ９ｂ及びタッチパネル９ｃを操作することにより、ディスプレイ９ａに表示された模様、及び模様のパーツの選択、各種処理モードの選択、各種パラメータの設定、及び入力の操作を行うことができる。
【００１４】
プラテン３は、切断装置１が被切断物１０１を切断する際、保持シート１０を支持する。プラテン３の上面部は、水平面状を有す。被切断物１０１を保持した保持シート１０は、プラテン３上を移送される。
【００１５】
保持シート１０は、例えば、合成樹脂材料からなり、矩形シート状をなす。保持シート１０の上面には、周縁部１０ａ〜１０ｄを除いた内側の領域に、粘着剤が塗布された粘着層１０ｖが形成される。保持シート１０は、粘着層１０ｖに被切断物１０１が貼り付けられることで、被切断物１０１を保持する。粘着層１０ｖの粘着力は、カートリッジ４の切断刃６による切断加工の際に被切断物１０１を移動不能に確実に保持し、且つ、切断加工後の被切断物１０１を比較的容易に剥がせるように設定される。ここで、切断装置１が切断可能な領域は、粘着層１０ｖが形成された領域であるとする。また、被切断物１０１の大きさは、粘着層１０ｖが形成された領域と同じ大きさであるとする。また、被切断物１０１は、例えば、紙又は布である。
【００１６】
［移送機構７の説明］
図１、及び図２を参照して、移送機構７の詳細について説明する。移送機構７は、駆動ローラ１２と、ピンチローラ１３と、取付フレーム１４と、Ｙ軸モータ１５と、駆動ギア１６と、従動ギア１７と、を備える。
【００１７】
駆動ローラ１２、及びピンチローラ１３は、左右方向の側壁１１ａ、１１ｂの間に配置される。駆動ローラ１２、及びピンチローラ１３は、左右方向に延びる。駆動ローラ１２とピンチローラ１３は、上下方向に並ぶように配設される。駆動ローラ１２は下側に位置し、ピンチローラ１３は、上側に位置する。
【００１８】
側壁１１ａ、１１ｂは、駆動ローラ１２の左右方向の両端側を回転可能に支持する。従動ギア１７は、駆動ローラ１２の右端に固着される。取付フレーム１４は、右側の側壁１１ｂの外面側に取付けられる。Ｙ軸モータ１５は、取付フレーム１４に取付けられる。Ｙ軸モータ１５は、例えばステッピングモータからなる。従動ギア１７は、駆動ギア１６に噛合う。駆動ギア１６の径は、従動ギア１７の径より小さい。駆動ギア１６は、Ｙ軸モータ１５の出力軸に固定される。Ｙ軸モータ１５が回転することにより、回転駆動力が、駆動ギア１６、及び従動ギア１７を介して駆動ローラ１２に伝わり、駆動ローラ１２を回転させる。
【００１９】
側壁１１ａ、１１ｂは、ピンチローラ１３の左右の両端部を回転可能に支持する。側壁１１ａ、１１ｂは、ピンチローラ１３を、上下方向、即ち被切断物１０１の厚み方向に若干量の変位が可能に支持する。ピンチローラ１３は、ローラ部１３ａを備える。ローラ部１３ａは、ピンチローラ１３の軸部の両側に配置される。ローラ部１３ａの軸部の径は、ピンチローラ１３の軸部の径より大きい。センサ７６（図５参照）は、前方から保持シート１０の前端部が挿入されたことを検出する。センサ７６は、詳しく図示しないが、ローラ部１３ａと駆動ローラ１２との間に設けられる。
【００２０】
保持シート１０の左右の周縁部１０ａ、１０ｂは、駆動ローラ１２とローラ部１３ａとの間に夫々挟持される。移送機構７は、保持シート１０の周縁部１０ａ、１０ｂを駆動ローラ１２とローラ部１３ａとの間に挟んだ状態で、Ｙ軸モータ１５が駆動され、駆動ローラ１２が回転することにより、前後方向に保持シート１０を移送する。
【００２１】
［移動機構８の説明］
図１、及び図２を参照して、移動機構８の詳細について説明する。移動機構８は、切断ヘッド５を、保持シート１０の移送方向と交差する左右方向へ移動させる。移動機構８は、キャリッジ１９と、ガイド軸２１、２２と、取付板２４と、Ｘ軸モータ２５と、プーリ軸２６と、駆動ギア２７と、左タイミングプーリ２８と、従動ギア２９と、右タイミングプーリ３０と、タイミングベルト３１と、を備える。
【００２２】
ガイド軸２１、２２は、左右方向の側壁１１ａと側壁１１ｂとの間に配置される。ガイド軸２１、２２は、ピンチローラ１３より後部に配置される。ガイド軸２１、２２は、左右方向に延びる。ガイド軸２１の上面部とガイド軸２２の下面部には、左端から右端に渡ってそれぞれガイド溝２１ａが設けられる。キャリッジ１９の上下両側部には、各ガイド溝２１ａを上下方向から挟むように係合する一対の突状部が設けられる。キャリッジ１９は、突状部と各ガイド溝２１ａとの係合により、ガイド軸２１、２２に対して左右方向への摺動が可能に支持される。
【００２３】
取付板２４は、左側の側壁１１ａの外面側に取り付けられる。取付フレーム１４は、右側の側壁１１ｂの外面側に取付けられる。プーリ軸２６は、Ｘ軸モータ２５の前側に回転可能に設けられる。プーリ軸２６は、上下方向に延びる。駆動ギア２７は、Ｘ軸モータ２５の出力軸に固定される。プーリ軸２６は、左タイミングプーリ２８と従動ギア２９とを回転可能に支持する。左タイミングプーリ２８と従動ギア２９とは、一体的に形成されており、一体的に回転する。従動ギア２９は、駆動ギア２７に噛み合う。
【００２４】
右タイミングプーリ３０は、取付フレーム１４に回転可能に取り付けられる。無端状のタイミングベルト３１は、右タイミングプーリ３０と左タイミングプーリ２８との間において、左右方向に延びて水平に掛渡される。タイミングベルト３１の途中は、キャリッジ１９の背面部に連結される。
【００２５】
Ｘ軸モータ２５が回転することにより、回転駆動力が、駆動ギア２７、従動ギア２９、及び左タイミングプーリ２８を介してタイミングベルト３１に伝わり、キャリッジ１９を左右方向に移動させる。また、切断ヘッド５は、詳しくは後述するが、キャリッジ１９に設けられる。従って、キャリッジ１９の左右方向の移動により、切断ヘッド５も左右方向に移動する。
【００２６】
［スキャナ６０の説明］
図２を参照して、スキャナ６０について説明する。スキャナ６０は、被切断物１０１の色又は図柄を光学的に読み取る。具体的には、スキャナ６０は、移送機構７により移送された被切断物１０１の表面の画像を読み取る。スキャナ６０は、周知のＣＩＳ（Ｃｏｎｔａｃｔ  Ｉｍａｇｅ  Ｓｅｎｓｏｒ）であって、詳しい説明は省略するが、撮像素子と、光源とを含む。撮像素子は、左右方向（Ｘ方向）に並設された複数のセンサからなる。スキャナ６０は、ガイド軸２１の後側に設けられる。スキャナ６０の左右方向の幅は、保持シート１０の左右方向の幅と略同一である。
【００２７】
スキャナ６０の光源は、プラテン３上に配置される保持シート１０に保持された被切断物１０１の表面に向けて光を出射する。光源から出射した光は、被切断物１０１の表面に到達して、反射する。コンタクトガラスが、被切断物１０１の上面に近接した状態で、スキャナ６０は、被切断物１０１の表面の画像を読み取る。スキャナ６０は、保持シート１０の粘着層１０ｖが形成された領域の画像を読み取る。撮像素子は、被切断物１０１が反射した光を撮像する。
【００２８】
［切断ヘッド５の説明］
図２、及び図３を参照して、切断ヘッド５について説明する。切断ヘッド５は、キャリッジ１９と、カートリッジホルダ３２と、上下駆動機構３３とからなる。カートリッジホルダ３２は、キャリッジ１９に対して前側に配置される。上下駆動機構３３は、キャリッジ１９に対して後側に配置される。上下駆動機構３３は、カートリッジホルダ３２をカートリッジ４ごと上下方向（Ｚ方向）に駆動させる。
【００２９】
キャリッジ１９は、前後の壁部１９ａ，１９ｂと、壁部１９ａ、１９ｂを繋ぐ上下のアーム１９ｃ、１９ｄと、を備える。キャリッジ１９は、ガイド軸２１，２２の前後両側と上下両側とを囲う形状である。キャリッジ１９の後壁部１９ｂには、Ｚ軸モータ３４が前向きに取付けられる。
【００３０】
上下駆動機構３３は、伝達機構と、Ｚ軸モータ３４と、を備える。伝達機構は、Ｚ軸モータ３４とカートリッジホルダ３２との間に設けられる。伝達機構は、Ｚ軸モータ３４の回転運動を減速し且つカートリッジホルダ３２の上下方向の移動に変換して伝達する。
【００３１】
Ｚ軸モータ３４が正転或いは逆転すると、Ｚ軸モータ３４の回転運動が伝達機構を介して上下方向の運動に変換されて、カートリッジホルダ３２をカートリッジ４ごと上昇位置或いは下降位置へ昇降させる。これにより、カートリッジホルダ３２におけるカートリッジ４は、切断刃６により被切断物１０１を切断するときの下降位置（図３の実線）と、切断刃６の刃先６ａが被切断物１０１から所定距離、離間する上昇位置（図３の２点鎖線）との間で移動する。
【００３２】
カートリッジホルダ３２にカートリッジ４が装着され、カートリッジ４が下降位置にある場合、被切断物１０１に刃先６ａが刺さる。刃先６ａの圧力は、後述する制御回路６１によって、Ｚ軸モータ３４の回転量に基づき切断に適した圧力に設定される。刃先６ａの圧力を、以下、カッタ圧と称する。
【００３３】
カートリッジホルダ３２は、ホルダフレーム３５と、上ホルダ３６及び下ホルダ３７と、を備える。ホルダフレーム３５は、上下駆動機構３３により上下に駆動される。上ホルダ３６及び下ホルダ３７は、ホルダフレーム３５に固定される。具体的には、キャリッジ１９の前壁部１９ａには、カバー部材３８が設けられる。カバー部材３８は、キャリッジ１９の左右両側を前方から覆う。カバー部材３８は、右側の張出部３８ａと、左側の張出部３８ｂと、を有する。右側の張出部３８ａと左側の張出部３８ｂとの間には、可動部としてホルダフレーム３５が配置される。ホルダフレーム３５は、上下両面及び前面が開放された形状をなす。上ホルダ３６及び下ホルダ３７は、何れもカートリッジ４が上方から挿通されるようにしてホルダフレーム３５に装着されるものであり、ホルダフレーム３５に収まる枠状をなす。
【００３４】
上ホルダ３６と下ホルダ３７との間には、レバー部材４０が設けられる。レバー部材４０は、左右一対のアーム部４１，４２と、アーム部４１，４２の先端側を繋ぐように設けられた操作部４３とを有する。レバー部材４０は、アーム部４１，４２の上端側を基端部として、ホルダフレーム３５に対し揺動可能に支持される。アーム部４１，４２の内面側には、後述するカートリッジ４の被係合部５４ａと係合可能な小円柱状の係合部４１ａ，４２ａが設けられる。
【００３５】
レバー部材４０は、アーム部４１，４２の基端部を揺動中心として、図３に示す固定位置と、操作部４３を手前側に引くようにして揺動させた開放位置との間で切換え可能に揺動する。レバー部材４０の固定位置において、係合部４１ａ，４２ａとカートリッジ４の被係合部５４ａとの係合により、カートリッジ４は、下ホルダ３７に対して固定される。他方、レバー部材４０は、ユーザが操作部４３を手前側に引いて、固定位置から開放位置側へ揺動させることに伴い、係合部４１ａ，４２ａが被係合部５４ａから離間してその固定状態を開放する。レバー部材４０の揺動により、ユーザは、カートリッジ４の着脱を、簡単且つ確実に行うことができる。
【００３６】
［カートリッジ４の説明］
切断装置１においては、被切断物の種類に応じた切断刃６を有するカートリッジ４が複数用意されており、ユーザは、切断刃６をカートリッジ４ごと交換することができる。図４を参照しながら、カートリッジ４について説明する。
【００３７】
カートリッジ４の外郭ケース５０は、ケース本体５１と、ケース本体５１の一端部及び他端部に設けられたキャップ部５２及び摘み部５３とを備える。ケース本体５１は、上下方向に延びる円筒状をなす。キャップ部５２は、ケース本体５１の下端部に嵌め込まれる径大部５４及び径小部５５を有する。キャップ部５２は、段付きの有底円筒容器状をなす。被係合部５４ａは、径大部５４の上端にある。被係合部５４ａは、レバー部材４０の係合部４１ａ、４２ａと当接する。径大部５４の下端がカートリッジホルダ３２の下ホルダ３７と嵌合する。キャップ部５２の下面部５０ａは平坦に形成されており、切断刃６の刃先６ａを挿通させる孔を有する。
【００３８】
摘み部５３は、ケース本体５１の上端部に固定される蓋板５６と、蓋板５６の上側に設けられた摘み板５７及び後面板５８とを一体に有する。摘み板５７は、蓋板５６の左右方向の中央部に縦向きに設けられる。
【００３９】
カートリッジ４は、外郭ケース５０にカッタ軸４７が収容される切断刃６を備える。切断刃６は、基部として丸棒状をなすカッタ軸４７と、先端部の刃先６ａとを一体に有する。切断刃６の刃部は、被切断物１０１に対して傾斜した略Ｖ字形状をなす。また、ケース本体５１の内部には、カッタ軸４７をその中心軸線５０ｃの回りに回動可能に支持する軸受が設けられる。刃先６ａは、キャップ部５２の下面部５０ａから突出している。
【００４０】
被切断物１０１の切断に際し、制御回路６１は、カートリッジホルダ３２に装着されたカートリッジ４を、上下駆動機構３３により下降位置に移動させて、カッタ圧を設定する。カートリッジ４が下降位置にある場合、刃先６ａが保持シート１０上の被切断物１０１を貫通して、保持シート１０に僅かに刺さる。カートリッジ４が下降位置にある状態で、移送機構７及びヘッド移動機構８により、保持シート１０と切断刃６とをＸ方向及びＹ方向に相対移動させることで、被切断物１０１を切断する。切断装置１は、例えば、図１に示す保持シート１０における粘着層１０ｖの左角部を原点ＯとしたＸＹ座標系が設定される。ＸＹ座標系に基づいて、被切断物１０１と切断刃６とは、相対的に移動する。
【００４１】
［切断装置１の電気的構成］
図５を参照しながら、切断装置１の制御系の構成について説明する。制御回路６１は、切断装置１全体の制御を司る。制御回路６１は、コンピュータ（ＣＰＵ）を主体に構成される。制御回路６１は、ＲＯＭ６２、ＲＡＭ６３、及び外部メモリ６５が電気的に接続される。ＲＯＭ６２は、切断動作を制御するための切断制御プログラム５００、模様データ６００を記憶する。切断制御プログラム５００は、ディスプレイ９ａの表示を制御する表示制御プログラムＳ１５Ａ、Ｓ１５Ｂ、Ｓ１５Ｃ、Ｓ１５Ｄ等を含む。ＲＡＭ６３は、スキャナ６０で読み取った被切断物１０１の画像７００、被切断物１０１の画像７００から算出した被切断物１０１のＲＧＢ値７１０を記憶する。外部メモリ６５は、模様を切断するための切断データ７２０を含む。
【００４２】
模様は、単色の模様と、異なる色又は図柄の複数のパーツを有する模様と、がある。模様が異なる色又は図柄の複数のパーツからなる場合、模様データ６００は、模様番号６０５、パーツ番号ｉ、パーツの形状６２０、パーツのＲＧＢ値６３０、パーツの位置６４０、及びパーツの大きさ６５０を含んでいる。模様データ６００の詳細は、後述する。ディスプレイ９ａは、単色の模様と、異なる色又は図柄の複数のパーツを有する模様と、を表示するよう構成される。
【００４３】
制御回路６１には、スイッチ９ｂ等からの信号が入力される。制御回路６１には、スキャナ６０、センサ７６、ディスプレイ９ａ、及びタッチパネル９ｃが電気的に接続される。ユーザは、ディスプレイ９ａの表示を見ながら、スイッチ９ｂ或いはタッチパネル９ｃを操作することにより、所望する模様を選択したり、各種処理モード、パラメータを設定したりすることができる。更に、制御回路６１には、Ｙ軸モータ１５、Ｘ軸モータ２５、Ｚ軸モータ３４を夫々駆動する駆動回路６７，６８，６９が電気的に接続される。制御回路６１は、Ｙ軸モータ１５、Ｘ軸モータ２５、Ｚ軸モータ３４等を制御し、保持シート１０上の被切断物１０１に対する切断動作を自動で実行させる。
【００４４】
［切断制御プログラム５００］
図６〜図１１を参照して、切断制御プログラム５００について説明する。切断制御プログラム５００は、切断装置１の制御回路６１によって実行される。例えば、ユーザがタッチパネル９ｃの模様選択画面１１０に移行するキーに触れた場合、制御回路６１は、ＲＯＭ６２から切断制御プログラム５００を読み出し、実行する。切断制御プログラム５００が実行されると、制御回路６１は、ディスプレイ９ａに模様選択画面１１０を表示させる。フローチャートに示す各ステップは、制御回路６１の処理を示す。
【００４５】
Ｓ１１では、制御回路６１は、複数の模様の中からユーザが所望する模様の選択を受け付ける。具体的には、図７に示す模様選択画面１１０において、ユーザが、所望の模様である模様１２０に対応するタッチパネル９ｃの位置にタッチペン又は指で押すことにより、タッチパネル９ｃは、複数の模様の中からユーザが選択した模様１２０を検出する。
【００４６】
次のＳ１２では、制御回路６１は、ＲＯＭ６２に記憶されたユーザが選択した模様１２０の模様データ６００をＲＡＭ６３に記憶させる。
【００４７】
次のＳ１３では、制御回路６１は、図８に示す様に、模様１２０の模様データ６００に基づいて、模様１２０を構成する各パーツ１５０、１６０、１７０を示すパーツ画面１３０をディスプレイ９ａに表示させる。
【００４８】
図８を参照して、模様データ６００の一例について説明する。模様データ６００は、模様番号６０５と、パーツ番号ｉと、パーツの形状６２０と、パーツのＲＧＢ値６３０と、を含む。模様番号６０５は、模様毎に異なり、各模様に対応する番号である。例えば、模様番号６０５は、ＡＲ―Ｇ００７である。パーツ番号ｉは、パーツ毎に異なり、各パーツに対応する番号である。パーツ番号ｉは、例えば、正の整数である。パーツの形状６２０は、Ｘ、Ｙ座標で表される座標データである。座標データは、具体的には、その模様の中心を原点とした模様の形状を示す座標である。パーツのＲＧＢ値６３０は、予めＲＯＭ６２に記憶されたパーツの色を表す情報である。例えば、パーツ１５０のＲＧＢ値（Ｒ，Ｇ，Ｂ）は、（２５５，０，０）である。パーツ１６０のＲＧＢ値（Ｒ，Ｇ，Ｂ）は、（２５５，０，０）である。パーツ１７０のＲＧＢ値（Ｒ，Ｇ，Ｂ）は、（０，０，２５５）である。
【００４９】
次のＳ１５Ａでは、制御回路６１は、表示制御プログラムを実行する。
【００５０】
次のＳ１７Ａでは、制御回路６１は、切断処理を実行する。制御回路６１は、Ｓ１７Ａ終了後、切断制御プログラム５００を終了する。
【００５１】
［第１実施形態の表示制御プログラムＳ１５Ａ］
図９、及び図１０を参照して、表示制御プログラムＳ１５Ａについて詳細に説明する。制御回路６１は、Ｓ１５Ａの処理を開始すると、図９に示すＳ２１へ処理を進める。
【００５２】
Ｓ２１では、制御回路６１は、色変換キー（図示せず）が押されたか否かを判断する。具体的には、制御回路６１は、ディスプレイ９ａに色変換キーを表示させる。ユーザは、ディスプレイ９ａに表示された色変換キー上にあるタッチパネル９ｃを押圧する。ユーザが色変換キー上にあるタッチパネル９ｃを押圧した場合、タッチパネル９ｃは、色変換キーが押圧されたことを検出する。タッチパネル９ｃが、色変換キーが押圧されたことを検出した場合、制御回路６１は、色変換キーが押されたと判断する。制御回路６１は、色変換キーが押圧されたと判断したことに応じて（Ｓ２１：ＹＥＳ）、Ｓ２３へ処理を進める。制御回路６１は、ユーザがタッチパネル９ｃ上の色変換キーとは異なるキーを押圧した場合、タッチパネル９ｃは色変換キーが押圧されなかったことを検出する。制御回路６１は、色変換キーが押圧されなかったことを検出した場合、制御回路６１は、色変換キーが押されていないと判断する。制御回路６１は、色変換キーが押されていないと判断したことに応じて（Ｓ２１：ＮＯ）、Ｓ２２へ処理を進める。
【００５３】
Ｓ２２では、制御回路６１は、切断するパーツが選択されたか否かを判断する。具体的には、ユーザは、色変換せず、パーツの切断を開始する場合、パーツ画面１３０上の所望のパーツを押圧する。タッチパネル９ｃは、パーツ画面１３０上のパーツが押圧されたことを検出した場合、制御回路６１は、パーツが選択されたと判断する。制御回路６１は、タッチパネル９ｃ上でパーツが選択されたと判断したことに応じて（Ｓ２２：ＹＥＳ）、Ｓ１５Ａの処理を終了する。制御回路６１は、タッチパネル９ｃ上でパーツが選択されなかったと判断したことに応じて（Ｓ２２：ＮＯ）、Ｓ２１へ処理を戻す。
【００５４】
Ｓ２３では、制御回路６１は、複数のパーツの中から色を変換する１つのパーツの選択を受け付ける。ユーザが、パーツ画面１３０の色変換したいパーツに対応するタッチパネル９ｃの位置にタッチペン又は指で押すことにより、タッチパネル９ｃは、複数のパーツの中からユーザが選択したパーツを検出する。制御回路６１は、検出したパーツをＲＡＭ６３へ記憶させる。
【００５５】
次のＳ２５では、制御回路６１は、スキャナ６０に被切断物１０１の色又は図柄を含む画像を取得させる。具体的には、制御回路６１は、駆動回路６７を介して、Ｙ軸モータ１５を所定方向に回転させる。Ｙ軸モータ１５が所定方向に回転すると、駆動ローラ１２が回転する。駆動ローラ１２が回転すると、駆動ローラ１２とローラ部１３ａとの間に挟持された被切断物１０１が貼り付けられた保持シート１０が後側に向かって移送される。このとき、スキャナ６０は、保持シート１０上に貼り付けられた被切断物１０１の画像を読み取る。制御回路６１は、ＲＡＭ６３にスキャナ６０で読み取った被切断物１０１の画像を記憶させる。制御回路６１は、被切断物１０１の画像７００を読み取った後、駆動回路６７を介して、Ｙ軸モータ１５を所定方向とは逆方向に回転させる。Ｙ軸モータ１５が逆方向に回転すると、駆動ローラ１２が読み取り時とは逆方向に回転し、保持シート１０が前側に向かって移送される。駆動ローラ１２は、保持シート１０を前側に移送させ、初期の位置に戻す。
【００５６】
次のＳ２７では、制御回路６１は、Ｓ２５にてスキャナ６０が読み取った被切断物１０１の画像から、被切断物１０１の色であるＲＧＢ値７１０を算出する。具体的には、制御回路６１は、例えば、Ｒ（赤）成分において、スキャナ６０で読み取った被切断物１０１の画像の画素毎にアナログデータを取得する。制御回路６１は、画素毎にアナログデータをＡＤ変換して、０〜２５５のデジタルデータ（又は、階調値）に変換する。制御回路６１は、Ｒ成分に対して、変換された複数の画素のデジタルデータの平均値を算出する。制御回路６１は、変換された複数の画素のデジタルデータの総和を読み取った画素数で除算して複数の画素の平均値を算出する。制御回路６１は、Ｇ（緑）成分、Ｂ（青）成分に関しても、同様の処理を実行する。制御回路６１は、ＲＧＢの各成分の全画素についてのデジタルデータの平均値を、被切断物１０１のＲＧＢ値として算出する。このように算出された被切断物１０１のＲＧＢ値７１０は、例えば、（１２８，０，０）であるとする。制御回路６１は、被切断物１０１のＲＧＢ値７１０をＲＡＭ６３に記憶させる。
【００５７】
次のＳ２９では、制御回路６１は、Ｓ２３にて選択されたパーツの色を、Ｓ２７にて算出されたＲＧＢ値に変換する。具体的には、制御回路６１は、予めＲＯＭ６２に記憶されたパーツのＲＧＢ値６３０を、スキャナ６０が読み取った被切断物のＲＧＢ値７１０に変換する。制御回路６１は、ＲＧＢ値６３０にＲＧＢ値７１０を代入する。例えば、図８に示すパーツ１５０のＲＧＢ値６３０（２５５，０，０）に、被切断物１０１のＲＧＢ値７１０（１２８，０，０）を代入する。これにより、パーツ１５０のＲＧＢ値が（１２８，０，０）になる。また、パーツ１６０のＲＧＢ値（２５５，０，０）に、被切断物１０１とは異なる被切断物のＲＧＢ値７１０（２５５，  ２５５，２５５）を代入する。これにより、パーツ１６０のＲＧＢ値が（２５５，２５５，２５５）になる。
【００５８】
次のＳ３１では、制御回路６１は、Ｓ２９によって色が変換された複数のパーツを有する模様をディスプレイ９ａに表示させる。具体的には、制御回路６１は、図１０に示すように、色変換されたパーツ画面１３１をディスプレイ９ａに表示させる。即ち、ディスプレイ９ａは、例えば、ＲＧＢ値６３０（１２８，０，０）に変換された明るい色のパーツ１５１、ＲＧＢ値（２５５，２５５，２５５）に変換された暗い色のパーツ１６１を表示する。制御回路６１は、Ｓ３１終了後、Ｓ２１へ処理を戻す。
【００５９】
次に図１１を参照して、切断処理Ｓ１７Ａについて詳細に説明する。制御回路６１は、Ｓ１７Ａの処理を開始すると、図１１に示すＳ４１へ処理を進める。
【００６０】
Ｓ４１では、制御回路６１は、複数のパーツの中から１つの切断するパーツの選択を受け付ける。ユーザが、パーツ画面１３０の所望のパーツに対応するタッチパネル９ｃの位置にタッチペン又は指で押すことにより、タッチパネル９ｃは、複数のパーツの中からユーザが選択したパーツを検出する。制御回路６１は、パーツが選択された後、パーツの大きさ６５０の指定を受け付ける。制御回路６１は、ＲＡＭ６３に、ユーザが指定したパーツの大きさ６５０を記憶させる。
【００６１】
次のＳ４３では、制御回路６１は、保持シート１０がセットされたか否かを判断する。具体的には、センサ７６が、保持シート１０があることを検出した場合、制御回路６１に検出信号を送信する。制御回路６１が検出信号を受信した場合、制御回路６１は、保持シート１０がセットされたと判断する。制御回路６１は、保持シート１０がセットされたと判断した事に応じて（Ｓ４３：ＹＥＳ）、Ｓ４５へ処理を進める。制御回路６１は、保持シート１０がセットされていないと判断した事に応じて（Ｓ４３：ＮＯ）、Ｓ４３の処理を繰り返す。
【００６２】
Ｓ４５では、制御回路６１は、ディスプレイ９ａに切断を指示するための切断キー（図示せず）を表示させ、切断キーが押されたか否かを判断する。具体的には、タッチパネル９ｃが、切断キーが押された事を検出した場合、制御回路６１は、切断キーが押されたと判断する。制御回路６１は、切断キーが押されたと判断した事に応じて（Ｓ４５：ＹＥＳ）、Ｓ４７へ処理を進める。制御回路６１は、切断キーが押されていないと判断した事に応じて（Ｓ４５：ＮＯ）、Ｓ４５の処理を繰り返す。
【００６３】
Ｓ４７では、制御回路６１は、Ｓ４１によって選択されたパーツを切断するように、移動部２０の駆動を制御する。具体的には、制御回路６１は、ユーザが指定したタッチパネル９ｃ上の模様の位置から、模様の中心座標を取得する。制御回路６１は、模様の中心座標に基づいて、模様データ６００のパーツの形状６２０、パーツの大きさ６５０から、切断する位置を示す座標データを生成する。座標データは、保持シート１０の左角部を原点Ｏとした座標データである。詳細には、制御回路６１は、模様データ６００の座標データの原点と、模様の中心座標と、が一致するように、模様データ６００の座標データを保持シート１０上の座標データに変換する。制御回路６１は、座標データを切断データ７２０としてＲＡＭ６３に記憶させる。そして、制御回路６１は、刃先６ａが切断データ７２０の座標上を通過するように、移動部２０の駆動を制御する。
【００６４】
次のＳ４９では、制御回路６１は、他に切断するパーツがあるか否かを判断する。制御回路６１は、図示しないが、ディスプレイ９ａに「次のパーツ」キー及び「終了」キーを表示させる。制御回路６１は、タッチパネル９ｃにより「次のパーツ」キーが押圧されたことを検出すると（Ｓ４９：ＹＥＳ）、Ｓ４１へ処理を戻す。制御回路６１は、タッチパネル９ｃにより「終了」キーが押圧されたことを検出すると（Ｓ４９：ＮＯ）、切断処理Ｓ１７Ａを終了する。制御回路６１は、切断処理Ｓ１７Ａを終了後、切断制御プログラム５００を終了する。
【００６５】
［第１実施形態の効果］
Ｓ２９では、制御回路６１は、ユーザによって選択されたパーツをスキャナ６０で読み取った色に変換する。制御回路６１は、変換した複数のパーツを含む模様をディスプレイ９ａに表示させる。従って、ユーザは、所望するパーツの色を、手持ちの被切断物１０１の色に変換して表示させることができる。このため、ユーザは、切断する前に、被切断物１０１の色からなる複数のパーツの組合せを知ることができる。
【００６６】
［第２実施形態の表示制御プログラムＳ１５Ｂ］
図１２、及び図１３を参照して、第２実施形態に関する表示制御プログラムＳ１５Ｂの構成について説明する。第２実施形態は、図１２に示すように、表示制御プログラムＳ１５Ａの代わりに、表示制御プログラムＳ１５Ｂを備える点で第１実施形態の構成とは異なる。なお、第１実施形態と同じ構成のものについては、同じ符号を付し、説明を省略する。制御回路６１は、Ｓ１５Ｂの処理を開始すると、図１２に示すＳ５１へ処理を進める。
【００６７】
Ｓ５１では、制御回路６１は、Ｓ２１と同様に、色変換キーが押されたか否かを判断する。具体的には、制御回路６１は、ディスプレイ９ａに色変換キーを表示させる。ユーザは、ディスプレイ９ａに表示された色変換キー上にあるタッチパネル９ｃを押圧する。ユーザが色変換キー上にあるタッチパネル９ｃを押圧した場合、タッチパネル９ｃは、色変換キーが押圧されたことを検出する。タッチパネル９ｃが、色変換キーが押圧されたことを検出した場合、制御回路６１は、色変換キーが押されたと判断する。制御回路６１は、色変換キーが押圧されたと判断したことに応じて（Ｓ５１：ＹＥＳ）、Ｓ５３へ処理を進める。制御回路６１は、ユーザがタッチパネル９ｃ上の色変換キーとは異なるキーを押圧した場合、タッチパネル９ｃは色変換キーが押圧されなかったことを検出する。制御回路６１は、色変換キーが押圧されなかったことを検出した場合、制御回路６１は、色変換キーが押されていないと判断する。制御回路６１は、色変換キーが押されていないと判断したことに応じて（Ｓ５１：ＮＯ）、Ｓ５２へ処理を進める。
【００６８】
Ｓ５２では、制御回路６１は、Ｓ２２と同様に、切断するパーツが選択されたか否かを判断する。具体的には、ユーザは、色変換せず、パーツの切断を開始する場合、パーツ画面１３０上の所望のパーツを押圧する。タッチパネル９ｃは、パーツ画面１３０上のパーツが押圧されたことを検出した場合、制御回路６１は、パーツが選択されたと判断する。制御回路６１は、タッチパネル９ｃ上でパーツが選択されたと判断したことに応じて（Ｓ５２：ＹＥＳ）、Ｓ１５Ｂの処理を終了する。制御回路６１は、タッチパネル９ｃ上でパーツが選択されなかったと判断したことに応じて（Ｓ５２：ＮＯ）、Ｓ５１へ処理を戻す。
【００６９】
Ｓ５３では、制御回路６１は、Ｓ２５と同様に、スキャナ６０に被切断物１０１の画像を読み取らせる。
【００７０】
次のＳ５５では、制御回路６１は、Ｓ２７と同様に、Ｓ５３にてスキャナ６０が読み取った被切断物１０１の画像から、被切断物１０１の色であるＲＧＢ値を算出する。
【００７１】
次のＳ５７では、制御回路６１は、図１３に示すように、Ｓ５５にて算出されたＲＧＢ値のパレット１８１、１８２、１８３を並べたパーツ画面１３２をディスプレイ９ａに表示させる。パレットとは、スキャナ６０で読み取られた被切断物１０１の色であり、パーツの色を表す選択肢のことである。ディスプレイ９ａは、Ｓ５５にて算出された被切断物１０１のＲＧＢ値のパレット１８１、１８２、１８３を、パーツ１５２、１６２、１７２の下に横一列に並べて表示する。
【００７２】
次のＳ５９では、制御回路６１は、他にパレットに追加したい色があるか否かを判断する。制御回路６１は、ディスプレイ９ａに追加キー（図示せず）を表示させる。ユーザは、ディスプレイ９ａに表示された追加キー上にあるタッチパネル９ｃを押圧する。ユーザが追加キー上にあるタッチパネル９ｃを押圧した場合、タッチパネル９ｃは、追加キーが押圧されたことを検出する。タッチパネル９ｃが、追加キーが押圧されたことを検出した場合、制御回路６１は、追加キーが押されたと判断する。ユーザがタッチパネル９ｃにより追加キーが押されたと判断した事に応じて（Ｓ５９：ＹＥＳ）、Ｓ５３へ処理を戻す。制御回路６１は、ユーザがタッチパネル９ｃによりパレット追加完了キーが押されたと判断した事に応じて（Ｓ５９：ＮＯ）、Ｓ６１へ処理を進める。
【００７３】
Ｓ６１では、制御回路６１は、Ｓ２３と同様に、複数のパーツ１５２、１６２、１７２の中から色変換する１つのパーツ１５２の選択を受け付ける。ユーザが、パーツ画面１３２の所望のパーツ１５２に対応するタッチパネル９ｃの位置にタッチペン又は指で押すことにより、タッチパネル９ｃは、複数のパーツ１５２、１６２、１７２の中からユーザが選択したパーツを検出する。制御回路６１は、検出したパーツ１５２をＲＡＭ６３へ記憶させる。
【００７４】
次のＳ６３では、制御回路６１は、パレット１８１、１８２、１８３の中から１つのパレット１８１の選択を受け付ける。ユーザが、パーツ画面１３２の所望のパレット１８１に対応するタッチパネル９ｃの位置にタッチペン又は指で押すことにより、タッチパネル９ｃは、複数のパレット１８１、１８２、１８３の中からユーザが選択したパレット１８１を検出する。制御回路６１は、検出したパレット１８１をＲＡＭ６３へ記憶させる。
【００７５】
次のＳ６５では、制御回路６１は、Ｓ６１で選択されたパーツをＳ６３で選択されたパレットの色に変換する。制御回路６１は、Ｓ６１で選択されたＲＯＭ６２に記憶されたパーツのＲＧＢ値を、Ｓ６３で選択されたパレットの色に対応する被切断物１０１のＲＧＢ値に変換する。例えば、制御回路６１は、Ｓ６１で選択されたパーツ１５２のＲＧＢ値（２５５，０，０）に、パレット１８１の色に対応する被切断物１０１のＲＧＢ値（２５５，２５５，０）を代入する。これにより、パーツ１５２のＲＧＢ値は、（２５５，２５５，０）になる。
【００７６】
次のＳ６６では、制御回路６１は、Ｓ３１と同様に、色変換したパーツを含む模様１４２をディスプレイ９ａに表示させる。例えば、ディスプレイ９ａは、Ｓ６５でＲＧＢ値６３０（２５５，２５５，０）に変換されたパーツ１５２を含む模様１４２を表示する。
【００７７】
次のＳ６９では、制御回路６１は、組合せＯＫキーが押されたか否かを判断する。具体的には、ディスプレイ９ａは、組合せＯＫキー（図示せず）を表示する。ユーザが、パーツ画面１３０の組合せＯＫキーに対応するタッチパネル９ｃの位置にタッチペン又は指で押すことにより、タッチパネル９ｃは、組合せＯＫキーが押されたことを検出する。タッチパネル９ｃが組合せＯＫキーが押されたことを検出した場合、制御回路６１は、組合せＯＫキーが押されたと判断する。制御回路６１は、タッチパネル９ｃにより組合せＯＫキーが押されたと判断したことに応じて（Ｓ６９：ＹＥＳ）、表示制御プログラムＳ１５Ｂを終了する。制御回路６１は、タッチパネル９ｃにより追加キーが押されたと判断したことに応じて（Ｓ６９：ＮＯ）、Ｓ６１へ処理を戻す。
【００７８】
［第２実施形態の効果］
Ｓ６５では、制御回路６１は、ユーザによって選択されたパーツの色をスキャナ６０で読み取った複数のパレットの中から選択した色に変換する。Ｓ６６では、制御回路６１は、変換した複数のパーツを含む模様をディスプレイ９ｃに表示させる。従って、ユーザは、所望するパーツの色を、手持ちの複数の被切断物１０１の色の中から選択した色に変換してディスプレイ９ａに表示させることができる。このため、ユーザは、切断する前に、被切断物１０１の色からなる複数のパーツの組合せを知ることができる。
【００７９】
Ｓ５７では、制御回路６１は、パレット１８１、１８２，１８３を並べてディスプレイ９ａに表示させる。ユーザは、並べられたパレット１８１、１８２、１８３を見て、タッチパネル９ｃを押圧することにより、各パーツに対応する被切断物１０１の色を選択することができる。
【００８０】
［第３実施形態の表示制御プログラムＳ１５Ｃ］
図１４、及び図１５を参照して、表示制御プログラムＳ１５Ｃについて詳細に説明する。制御回路６１は、Ｓ１５Ｃの処理を開始すると、図１４に示すＳ７１へ処理を進める。
【００８１】
Ｓ７１では、制御回路６１は、Ｓ２１と同様に、色変換キーが押されたか否かを判断する。具体的には、制御回路６１は、ディスプレイ９ａに色変換キー（図示せず）を表示させる。ユーザは、ディスプレイ９ａに表示された色変換キー上にあるタッチパネル９ｃを押圧する。ユーザが色変換キー上にあるタッチパネル９ｃを押圧した場合、タッチパネル９ｃは、色変換キーが押圧されたことを検出する。タッチパネル９ｃが、色変換キーが押圧されたことを検出した場合、制御回路６１は、色変換キーが押されたと判断する。制御回路６１は、色変換キーが押圧されたと判断したことに応じて（Ｓ７１：ＹＥＳ）、Ｓ７３へ処理を進める。制御回路６１は、ユーザがタッチパネル９ｃ上の色変換キーとは異なるキーを押圧した場合、タッチパネル９ｃは色変換キーが押圧されなかったことを検出する。制御回路６１は、色変換キーが押圧されなかったことを検出した場合、制御回路６１は、色変換キーが押されていないと判断する。制御回路６１は、色変換キーが押されていないと判断したことに応じて（Ｓ７１：ＮＯ）、Ｓ７２へ処理を進める。
【００８２】
Ｓ７２では、制御回路６１は、Ｓ２２と同様に、切断するパーツが選択されたか否かを判断する。具体的には、ユーザは、色変換せず、パーツの切断を開始する場合、パーツ画面１３０上の所望のパーツを押圧する。タッチパネル９ｃは、パーツ画面１３０上のパーツが押圧されたことを検出した場合、制御回路６１は、パーツが選択されたと判断する。制御回路６１は、タッチパネル９ｃ上でパーツが選択されたと判断したことに応じて（Ｓ７２：ＹＥＳ）、Ｓ１５Ｃの処理を終了する。制御回路６１は、タッチパネル９ｃ上でパーツが選択されなかったと判断したことに応じて（Ｓ７２：ＮＯ）、Ｓ７１へ処理を戻す。
【００８３】
Ｓ７３では、制御回路６１は、Ｓ２５と同様に、スキャナ６０に被切断物１０１の画像を読み取らせる。
【００８４】
次のＳ７５では、制御回路６１は、Ｓ７３にてスキャナ６０が読み取った被切断物１０１の画像から、被切断物１０１の色であるＲＧＢ値を算出する。被切断物１０１のＲＧＢ値６３０は、例えば、（２５０，０，０）である。制御回路６１は、被切断物１０１のＲＧＢ値７１０をＲＡＭ６３に記憶させる。
【００８５】
次のＳ７７では、制御回路６１は、Ｓ７５にて算出されたＲＧＢ値に最も近い色のパーツを抽出する抽出処理を実行する。
【００８６】
［パーツ抽出処理Ｓ７７］
図１５を参照して、パーツ抽出処理Ｓ７７について詳細に説明する。制御回路６１は、Ｓ７７の処理を開始すると、図１５に示すＳ１３１へ処理を進める。
【００８７】
Ｓ１３１では、制御回路６１は、パーツ番号ｉ、及び最小差分Ｄｍを初期化する。具体的には、制御回路６１は、パーツ番号ｉに１を代入する。また、制御回路６１は、最小差分Ｄｍに色の差分が最も大きい場合の値である２５５2＋２５５2＋２５５2（＝１９５０７５）より大きな数字、、例えば２０００００を代入する。
【００８８】
次のＳ１３３では、制御回路６１は、スキャナ６０で読み取った被切断物１０１のＲＧＢ値と、予め記憶したｉ番目のパーツのＲＧＢ値との差分Ｄｉを算出する。具体的には、ｉ番目のパーツのＲＧＢ値が（Ｒｉ，Ｇｉ，Ｂｉ）であり、被切断物１０１のＲＧＢ値が（Ｒ，Ｇ，Ｂ）であった場合、制御回路６１は、差分Ｄｉの算出式である差分Ｄｉ＝（Ｒｉ―Ｒ）2＋（Ｇｉ―Ｇ）2＋（Ｂｉ―Ｂ）2にて算出することができる。具体的には、１番目のパーツのＲＧＢ値が、（Ｒ１，Ｇ１，Ｂ１）＝（２５５，０，０）であり、被切断物１０１のＲＧＢ値が、（Ｒ，Ｇ，Ｂ）＝（２５０，０，０）であった場合、差分Ｄ１＝（Ｒ１―Ｒ）2＋（Ｇ１―Ｇ）2＋（Ｂ１―Ｂ）2＝（２５５―２５０）2＋（０―０）2＋（０―０）2＝２５となる。
【００８９】
次のＳ１３５では、被切断物のＲＧＢ値と最も近いＲＧＢ値を有するパーツを抽出するために、被切断物のＲＧＢ値と各パーツのＲＧＢ値との差分を比較する。制御回路６１は、最小差分Ｄｍより差分Ｄｉは小さいか否かを判断する。制御回路６１は、最小差分Ｄｍより差分Ｄｉは小さいと判断した事に応じて（Ｓ１３５：ＹＥＳ）、Ｓ１３７へ処理を進める。制御回路６１は、最小差分Ｄｍより差分Ｄｉは小さくないと判断した事に応じて（Ｓ１３５：ＮＯ）、Ｓ１４０へ処理を進める。最小差分Ｄｍ＝２０００００、差分Ｄ１＝２５である場合、最小差分Ｄｍ＞差分Ｄ１であるため、Ｓ１３７へ処理を進める。
【００９０】
Ｓ１３７では、制御回路６１は、最小差分Ｄｍに、差分Ｄｉを代入する。制御回路６１は、最小差分Ｄｍ＝２０００００に、差分Ｄ１＝２５を代入し、最小差分Ｄｍ＝２５となる。
【００９１】
次のＳ１３９では、制御回路６１は、差分が最も小さいパーツ番号ｉｍに、パーツ番号ｉを代入する。制御回路６１は、パーツ番号ｉｍに、パーツ番号ｉ＝１を代入し、パーツ番号ｉｍ＝１とする。
【００９２】
次のＳ１４０では、制御回路６１は、次のパーツ番号ｉへ処理を移す。制御回路６１は、パーツ番号ｉに１を加算する。パーツ番号ｉ＝１であった場合、制御回路６１は、パーツ番号ｉ＝１＋１＝２とする。
【００９３】
次のＳ１４１では、制御回路６１は、全てのパーツの差分Ｄｉを算出したか否かを判断する。具体的には、模様毎に定められたパーツ数ｉｎが、ＲＡＭ６３に記憶されている。制御回路６１は、パーツ番号ｉが、パーツ数ｉｎより大きいと判断した事に応じて（Ｓ１４１：ＹＥＳ）、Ｓ１４３へ処理を進める。制御回路６１は、パーツ番号ｉが、パーツ数ｉｎより大きくないと判断した事に応じて（Ｓ１４１：ＮＯ）、Ｓ１３３へ処理を戻す。パーツ番号ｉ＝２、パーツ数ｉｎ＝３であった場合、パーツ番号ｉ＜パーツ数ｉｎであるため、制御回路６１は、パーツ番号ｉが、パーツ数ｉｎより大きくないと判断する。
【００９４】
次のＳ１４３では、制御回路６１は、ｉｍ番目のパーツのＲＧＢ値を抽出する。例えば、制御回路６１は、ｉｍ＝１であった場合、１番目のパーツのＲＧＢ値である（Ｒ１，Ｇ１，Ｂ１）＝（２５５，０，０）を抽出する。制御回路６１は、Ｓ１４３終了後、Ｓ７７の処理を終了し、Ｓ７９へ処理を進める。
【００９５】
Ｓ７９では、制御回路６１は、Ｓ７７にて抽出されたパーツのＲＧＢ値を、Ｓ７５にて算出されたＲＧＢ値に変換する。具体的には、制御回路６１は、Ｓ７７にて抽出されたパーツの予めＲＯＭ６２に記憶されたパーツのＲＧＢ値６３０に、Ｓ７５にて算出された被切断物のＲＧＢ値７１０を代入する。例えば、被切断物１０１のＲＧＢ値７１０（２５０，０，０）に最も近い色である、図８に示すパーツ１５０のＲＧＢ値６３０（２５５，０，０）に、（２５０，０，０）を代入する。
【００９６】
Ｓ８０では、制御回路６１は、Ｓ７９によって色が変換された複数のパーツを有する模様をディスプレイ９ａに表示させる。具体的には、制御回路６１は、色変換されたパーツ画面１３１をディスプレイ９ａに表示させる。ディスプレイ９ａは、例えば、ＲＧＢ値６３０（２５０，０，０）に変換された少し明るい色のパーツ１５１を表示する。制御回路６１は、Ｓ８０終了後、Ｓ７１へ処理を戻す。
【００９７】
［第３実施形態の効果］
Ｓ７７では、制御回路６１は、スキャナ６０で読み取った色に最も近い色のパーツを抽出する。ユーザは、色変換するパーツを選択することなく、切断装置１が、自動的にスキャナ６０で読み取った色に最も近い色が変換される。従って、ユーザは、パーツを選択する手間がなく、最適なパーツの組合せを確認することができる。
【００９８】
［第４実施形態の表示制御プログラムＳ１５Ｄ］
図１６〜図１９を参照して、表示制御プログラムＳ１５Ｄについて詳細に説明する。制御回路６１は、Ｓ１５Ｄの処理を開始すると、図１６に示すＳ９１へ処理を進める。
【００９９】
Ｓ９１では、制御回路６１は、図１７に示す複数のパーツ２２０、２３０の中から、１つのパーツ２２０の選択を受け付ける。例えば、タッチパネル９ｃは、ユーザが図１７のパーツ２２０を押圧したことを検出する。そして、制御回路６１は、検出したパーツ２２０をＲＡＭ６３へ記憶させる。
【０１００】
次のＳ９３では、制御回路６１は、柄変換するか否かを判断する。具体的には、制御回路６１は、
柄変換キーが押されたか否かを判断する。具体的には、制御回路６１は、ディスプレイ９ａに柄変換キー（図示せず）を表示させる。ユーザは、ディスプレイ９ａに表示された柄変換キー上にあるタッチパネル９ｃを押圧する。ユーザが柄変換キー上にあるタッチパネル９ｃを押圧した場合、タッチパネル９ｃは、柄変換キーが押圧されたことを検出する。タッチパネル９ｃが、柄変換キーが押圧されたことを検出した場合、制御回路６１は、柄変換キーが押されたと判断する。制御回路６１は、柄変換キーが押圧されたと判断したことに応じて（Ｓ９３：ＹＥＳ）、Ｓ９５へ処理を進める。制御回路６１は、ユーザがタッチパネル９ｃ上の柄変換キーとは異なるキーを押圧した場合、タッチパネル９ｃは柄変換キーが押圧されなかったことを検出する。制御回路６１は、柄変換キーが押圧されなかったことを検出した場合、制御回路６１は、柄変換キーが押されていないと判断する。制御回路６１は、柄変換キーが押されていないと判断したことに応じて（Ｓ９３：ＮＯ）、Ｓ１５Ｄを終了する。
【０１０１】
Ｓ９５では、制御回路６１は、Ｓ２５と同様に、スキャナ６０に被切断物１０１の画像３１０を読み取らせる。
【０１０２】
次のＳ９７では、制御回路６１は、図１８に示す様に、Ｓ９５にて読み取った図柄を含む画像３１０を背景に、Ｓ９１にて選択したパーツ２２０をディスプレイ９ａに重ねて表示させる。
【０１０３】
次のＳ９９では、複数のパーツの大きさを統一するために、制御回路６１は、選択された模様の中の複数のパーツのうち既に１つのパーツの大きさ６５０を変更したか否かを判断する。具体的には、制御回路６１は、予めＲＯＭ６２に記憶されたデフォルトのパーツの大きさ６５０と、以前に変更されてＲＡＭ６３に記憶されたパーツの大きさ６５０とが、同じか否かを判断する。制御回路６１は、パーツの大きさ６５０が同じではないと判断した事に応じて（Ｓ９９：ＹＥＳ）、Ｓ１０１へ処理を進める。制御回路６１は、パーツの大きさ６５０が同じであると判断した事に応じて（Ｓ９９：ＮＯ）、Ｓ１０３へ処理を進める。
【０１０４】
Ｓ１０１では、制御回路６１は、スキャナ６０で読み取った被切断物１０１の図柄３１０上において、Ｓ９１によって選択されたパーツの配置についての指定を受け付ける。具体的には、制御回路６１は、タッチパネル９ｃによりパーツの位置の指定を受け付ける。ユーザが、ディスプレイ９ａに表示された図柄３１０に対して、タッチパネル９ｃにより所望する位置を押圧して指定する。制御回路６１は、ユーザが指定した位置の、パーツの中心座標をＲＡＭ６３に記憶させる。
【０１０５】
Ｓ１０３では、制御回路６１は、タッチパネル９ｃ上で、パーツの大きさ６５０の指定を受け付ける。制御回路６１は、指定されたパーツの大きさ６５０を、ＲＡＭ６３に記憶させる。制御回路６１は、スキャナ６０で読み取った被切断物１０１の図柄３１０上において、Ｓ９１によって選択されたパーツの配置についての指定を受け付ける。タッチパネル９ｃ上で、パーツの位置の指定を受け付ける。ユーザが、ディスプレイ９ａに表示された図柄３１０に対して、タッチパネル９ｃにより所望する位置を押圧して指定する。制御回路６１は、ユーザが指を離した際の、パーツの中心座標をＲＡＭ６３に記憶させる。制御回路６１は、パーツの中心座標を、パーツの位置６４０として、ＲＡＭ６３に記憶させる。
【０１０６】
次のＳ１０５では、制御回路６１は、パーツ画面を表示するか否かを判断する。制御回路６１は、ディスプレイ９ａにプレビューキー（図示せず）を表示させる。ユーザは、ディスプレイ９ａに表示されたプレビューキー上にあるタッチパネル９ｃを押圧する。ユーザがプレビューキー上にあるタッチパネル９ｃを押圧した場合、タッチパネル９ｃは、プレビューキーが押圧されたことを検出する。タッチパネル９ｃが、プレビューキーが押圧されたことを検出した場合、制御回路６１は、プレビューキーが押されたと判断する。制御回路６１は、タッチパネル９ｃによりプレビューキーが押されたと判断した事に応じて（Ｓ１０５：ＹＥＳ）、Ｓ１０６へ処理を進める。制御回路６１は、タッチパネル９ｃ上の切断キーが押されたと判断した事に応じて（Ｓ１０５：ＮＯ）、表示制御プログラムＳ１５Ｄを終了する。
【０１０７】
次のＳ１０６では、制御回路６１は、Ｓ９１によって選択されたパーツの図柄を、Ｓ１０１又はＳ１０３による指定に従って配置されたパーツの図柄に変換する。制御回路６１は、パーツの形状６２０、パーツの位置６４０、及びパーツの大きさ６５０から、切断する位置を示す座標データを生成する。制御回路６１は、座標データから、パーツ２２０を切断する位置の内側の領域の画像３１０をＲＡＭ６３に記憶させる。そして、制御回路６１は、切断する位置を示す座標データを切断データ７２０としてＲＡＭ６３に記憶させる。
【０１０８】
次のＳ１０７では、制御回路６１は、図１９に示すパーツ画面２０１をディスプレイ９ａに表示させる。制御回路６１は、パーツ２２０を切断する位置の内側の領域の画像３１０をＲＡＭ６３から読み出し、パーツ２２１の図柄を内側の領域の画像３１０に変換した模様２１１をディスプレイ９ａに表示させる。
【０１０９】
次のＳ１０９では、制御回路６１は、被切断物１０１の図柄３１０を変更するか否かを判断する。具体的には、制御回路６１は、ディスプレイ９ａに図柄変更キー（図示せず）を表示させ、タッチパネル９ｃにより図柄変更キーが押されたか否かを判断する。制御回路６１は、図柄変更キーが押されたと判断した事に応じて（Ｓ１０９：ＹＥＳ）、Ｓ９５へ処理を戻す。制御回路６１は、図柄変更キーが押されていないと判断した事に応じて（Ｓ１０９：ＮＯ）、Ｓ１１１へ処理を進める。
【０１１０】
次のＳ１１１では、制御回路６１は、パーツの位置又は大きさを変更するか否かを判断する。具体的には、制御回路６１は、ディスプレイ９ａに位置・大きさ変更キー（図示せず）を表示させ、タッチパネル９ｃにより位置・大きさ変更キーが押されたか否かを判断する。制御回路６１は、位置・大きさ変更キーが押されたと判断した事に応じて（Ｓ１１１：ＹＥＳ）、Ｓ１０３へ処理を戻す。制御回路６１は、位置・大きさ変更キーが押されていないと判断した事に応じて（Ｓ１１１：ＮＯ）、Ｓ１１３へ処理を進める。
【０１１１】
Ｓ１１３では、制御回路６１は、パーツの図柄、位置、又は大きさがＯＫか否かを判断する。制御回路６１は、ディスプレイ９ａにＯＫキー（図示せず）を表示させ、タッチパネル９ｃによりＯＫキーが押されたか否かを判断する。制御回路６１は、ＯＫキーが押されたと判断した事に応じて（Ｓ１１３：ＹＥＳ）、表示制御プログラムＳ１５Ｄを終了する。制御回路６１は、ＯＫキーが押されていないと判断した事に応じて（Ｓ１１３：ＮＯ）、Ｓ１０９へ処理を戻す。
【０１１２】
次に図２０を参照して、切断処理Ｓ１７Ｂについて詳細に説明する。制御回路６１は、Ｓ１７Ｂの処理を開始すると、図２０に示すＳ１２１へ処理を進める。
【０１１３】
Ｓ１２１では、制御回路６１は、保持シート１０がセットされたか否かを判断する。制御回路６１は、保持シート１０がセットされたと判断した事に応じて（Ｓ１２１：ＹＥＳ）、Ｓ１２３へ処理を進める。制御回路６１は、保持シート１０がセットされていないと判断した事に応じて（Ｓ１２１：ＮＯ）、Ｓ１２１の処理を繰り返す。
【０１１４】
Ｓ１２３では、制御回路６１は、切断キーが押されたか否かを判断する。具体的には、タッチパネル９ｃが、切断キーが押された事を検出した場合、制御回路６１は、切断キーが押されたと判断する。制御回路６１は、切断キーが押されたと判断した事に応じて（Ｓ１２３：ＹＥＳ）、Ｓ１２５へ処理を進める。制御回路６１は、切断キーが押されていないと判断した事に応じて（Ｓ１２３：ＮＯ）、Ｓ１２３の処理を繰り返す。
【０１１５】
Ｓ１２５では、制御回路６１は、Ｓ９１によって選択されたパーツを切断するように、移動部２０の駆動を制御する。具体的には、制御回路６１は、ＲＡＭ６３から切断データ７２０を読み出し、刃先６ａが切断データ７２０の座標上を通過するように、移動部２０の駆動を制御する。
【０１１６】
次のＳ１２７では、制御回路６１は、他に切断するパーツはあるか否かを判断する。制御回路６１は、タッチパネル９ｃにより「次のパーツ」キーを押圧したことを検出すると（Ｓ１２７：ＹＥＳ）、図１６のＳ９１へ処理を戻す。制御回路６１は、タッチパネル９ｃにより「終了」キーを押圧したことを検出すると（Ｓ１２７：ＮＯ）、切断処理１７Ｂを終了する。制御回路６１は、切断処理Ｓ１７Ｂを終了後、切断制御プログラム５００を終了する。
【０１１７】
［第４実施形態の効果］
Ｓ９７では、ディスプレイ９ａは、スキャナ６０で読み取った図柄上にパーツを重ねて表示する。Ｓ１０７では、ディスプレイ９ａは、ユーザが指定した位置の図柄を、パーツの図柄に変換してパーツの色の組合せを表示する。このため、ユーザは、パーツの柄合わせを容易に行うことができる。
【０１１８】
［変形例］
本開示は上記実施形態になんら限定されるものではなく、本開示の要旨を逸脱しない範囲で種々の形態で実施することができる。
【０１１９】
Ｓ２５では、スキャナ６０は、保持シート１０上の被切断物１０１の表面全部の画像を読み取り、Ｓ２７では、制御回路６１は、被切断物１０１の表面全部の画像からＲＧＢ値を算出した。しかしながら、色を算出する場合においては、スキャナ６０は、保持シート１０上の被切断物１０１の表面の一部の画像を読み取ってもよい。例えば、スキャナ６０は、所定数ラインの画像を読み取る。所定数ラインとは、例えば、１０ラインである。そして、制御回路６１は、所定数ラインの画像の複数の画素から、ＲＧＢの平均値を算出する。これにより、被切断物１０１の色を算出するための処理を短縮することができる。
【０１２０】
上記実施形態では、保持シート１０は、スキャナ６０が読み取る領域の全面に被切断物１０１が貼り付けられていた。しかしながら、保持シート１０は、スキャナ６０が読み取る領域の一部に被切断物１０１が貼り付けられていても良い。この場合、スキャナ６０が、保持シート１０の読み取る領域の全面を読み取る。制御回路６１は、読み取った画像から周知の輪郭検出処理を行い、被切断物１０１の輪郭線を算出する。そして、制御回路６１は、被切断物１０１の輪郭線の内部領域の平均のＲＧＢ値を被切断物１０１のＲＧＢ値として算出する。これにより、被切断物１０１の大きさによらず、制御回路６１は、被切断物１０１のＲＧＢ値を算出することができる。
【０１２１】
Ｓ７７では、制御回路６１は、Ｓ７５で算出したＲＧＢ値の差分の二乗和Ｄｉ＝（Ｒｉ―Ｒ）2＋（Ｇｉ―Ｇ）2＋（Ｂｉ―Ｂ）2を算出し、二乗和Ｄｉが最も小さいパーツを、最も近い色として抽出した。しかしながら、制御回路６１は、ＲＧＢ値を用いず、ＨＳＶ値、Ｌａｂ値を用いて最も近い色を抽出してもよい。例えば、特開２０１４−５０６３２号公報に記載のように、制御回路６１は、公知の算出方法で、ＨＳＶ値を算出してもよい。
【０１２２】
ＨＳＶ値は、ＨＳＶ空間における色相（Ｈｕｅ）、彩度（Ｓａｔｕｒａｔｉｏｎ）、明度（Ｖａｌｕｅ）により定義される。色相とは、赤、紫、青等の色の種類で、Ｈの値は、例えば、０〜３６０の範囲にある。彩度は、色の鮮やかさで、Ｓの値は、例えば０．０〜１．０の範囲にある。明度は、色の明るさで、Ｖの値は、例えば、０．０〜１．０の範囲にある。
【０１２３】
色相Ｈを用いた、スキャナ６０で読み取った色と最も近い色のパーツの抽出方法について詳細に説明する。制御回路６１は、スキャナ６０で読み取ったＲＧＢ値から、色相Ｈを算出する。制御回路６１は、ｉ番目のパーツのＲＧＢ値から、色相Ｈｉを算出する。そして、制御回路６１は、差分Ｈｍ＝色相Ｈｉ―色相Ｈを算出する。制御回路６１は、他のパーツについても同様に差分Ｈｍを算出し、差分Ｈｍが最も小さいパーツを抽出することで、スキャナ６０で読み取った色と最も近い色のパーツを抽出してもよい。
【０１２４】
また、特開平１１―５７２６２号公報に記載のように、制御回路６１は、公知の算出方法で、Ｌａｂ値を算出してもよい。Ｌａｂ値は、ＣＩＥ（国際照明委員会）で推奨する色空間である。
【０１２５】
色空間Ｌａｂを用いた、スキャナ６０で読み取った色と最も近い色のパーツの抽出方法について詳細に説明する。制御回路６１は、スキャナ６０で読み取ったＲＧＢ値から、公知の算出方法により、色空間Ｌａｂを算出する。制御回路６１は、ｉ番目のパーツのＲＧＢ値から、色空間Ｌｉａｉｂｉを算出する。そして、制御回路６１は、色空間Ｌａｂにおける距離＝（Ｌｉ―Ｌ）2＋（ａｉ―ａ）2＋（ｂｉ―ｂ）2を算出する。制御回路６１は、他のパーツについても同様に距離を算出し、距離が最も小さいパーツを抽出することで、スキャナ６０で読み取った色と最も近い色のパーツを抽出してもよい。
【０１２６】
移動部２０は、移動機構８によって切断刃６をＸ方向に移動させ、移送機構７によって被切断物１０１をＹ方向に移送させることによって、被切断物１０１を所望の形状に切断する。しかしながら、移動部は、被切断物１０１は移送させずに、切断刃６をＸＹ方向の二方向に移動させる構成にすることによって、被切断物１０１を切断してもよい。
【０１２７】
制御回路６１は、スキャナ６０に被切断物１０１の色又は図柄を読み取らせることで、パーツの色又は図柄を変換することができる。しかしながら、スキャナ６０に限らず、特許文献１と同様に、制御回路６１は、カメラを用いて、被切断物１０１の色又は図柄を読み取らせてもよい。
【０１２８】
なお、上述した表示制御プログラムＳ１５Ａ、Ｓ１５Ｂ、Ｓ１５Ｃ、Ｓ１５Ｄは、ハードディスク、フレキシブルディスク、ＣＤ−ＲＯＭ、又はＤＶＤなどのコンピュータで読み取り可能な記録媒体に記録され、ＰＣ等のコンピュータによって記録媒体から読み出されることによって実行されてもよい。また、表示制御プログラムＳ１５Ａ、Ｓ１５Ｂ、Ｓ１５Ｃ、Ｓ１５Ｄは、インターネットなどのネットワークを介して配布することが可能な伝送媒体であってもよい。
【０１２９】
〔本発明と実施例との対応関係〕
本実施形態における切断装置１は、本発明における切断装置の一例である。
本実施形態における切断装置１は、本発明における表示制御装置の一例である。
本実施形態における切断制御プログラム５００は、本発明における切断制御プログラムの一例である。
本実施形態におけるＲＯＭ６２は、本発明における記憶部の一例である。
本実施形態における模様データ６００は、本発明における模様の一例である。
本実施形態におけるスキャナ６０は、本発明における取得部の一例である。
本実施形態におけるＳ２９、Ｓ６５、Ｓ７９、Ｓ１０６を実行する制御回路６１は、本発明における変換手段、変換ステップの一例である。
本実施形態におけるＳ２５、Ｓ５３、Ｓ７３、Ｓ９５を実行する制御回路６１は、本発明における取得制御手段、取得制御ステップの一例である。
本実施形態におけるＳ３１、Ｓ６６、Ｓ８０、Ｓ１０７を実行する制御回路６１は、本発明における表示制御手段、表示制御ステップの一例である。
本実施形態におけるディスプレイ９ａは、本発明における表示部の一例である。
本実施形態におけるＳ２３を実行する制御回路６１は、本発明における第１受付部の一例である。
本実施形態におけるＳ６３を実行する制御回路６１は、本発明における第２受付部の一例である。
本実施形態におけるＳ１０１、又はＳ１０３を実行する制御回路６１は、本発明における第３受付部の一例である。
本実施形態におけるＳ７７を実行する制御回路６１は、本発明における抽出手段の一例である。
本実施形態における移動部２０は、本発明における移動部の一例である。
本実施形態におけるＳ１５Ａ、Ｓ１５Ｂ、Ｓ１５Ｃ、Ｓ１５Ｄを実行する制御回路６１は、本発明における表示制御プログラムの一例である。
【符号の説明】
【０１３０】
１          切断装置
６          切断刃
９ａ        ディスプレイ
９ｃ        タッチパネル
６０        スキャナ
２０        移動部
１０１      被切断物
５００      切断制御プログラム
６００      模様データ
【図１】
0006384243.tif 000002
【図２】
0006384243.tif 000003
【図３】
0006384243.tif 000004
【図４】
0006384243.tif 000005
【図５】
0006384243.tif 000006
【図６】
0006384243.tif 000007
【図７】
0006384243.tif 000008
【図８】
0006384243.tif 000009
【図９】
0006384243.tif 000010
【図１０】
0006384243.tif 000011
【図１１】
0006384243.tif 000012
【図１２】
0006384243.tif 000013
【図１３】
0006384243.tif 000014
【図１４】
0006384243.tif 000015
【図１５】
0006384243.tif 000016
【図１６】
0006384243.tif 000017
【図１７】
0006384243.tif 000018
【図１８】
0006384243.tif 000019
【図１９】
0006384243.tif 000020
【図２０】
0006384243.tif 000021